(57)【特許請求の範囲】
【請求項１】
引戸１側の支持箱４に取付けられた複数個のデッドボルト３Ａ、３Ｂと、前記支持箱４に内装されたデッドボルト出没用同期機構Ｙと、一方、戸枠側の錠ケース７に内蔵され、かつ、前記デッドボルト３Ａ、３Ｂに対してそれぞれ係脱するラッチ５０及びこのラッチを駆動源３０の駆動力に基づき係止する回動ロック部材３５を備える施解錠機構Ｘとから成る引戸用電気錠のデッドボルトの出没機構であり、前記デッドボルト出没用同期機構Ｙは、支持箱４の中央部に回動可能に設けられた駆動用ピニオン部材９０と、この駆動用ピニオン部材９０の左右にそれぞれ回動可能に配設された同期用ピニオン部材９１Ａ、９１Ｂと、これらの同期用ピニオン部材９１Ａ、９１Ｂ並びに前記駆動用ピニオン部材９０と噛合するように左右動可能に配設されたラック９２とから構成されていることを特徴とする引戸用電気錠のデッドボルトの出没機構。
【請求項２】
請求項１に於いて、ラック９２は、略クランク状に形成されていることを特徴とする引戸用電気錠のデッドボルトの出没機構。
【請求項３】
請求項１に於いて、同期用ピニオン部材９１Ａ、９１Ｂには、デッドボルト３Ａ、３Ｂを付勢するデッドボルト用付勢バネ１０２が設けられていることを特徴とする引戸用電気錠のデッドボルトの出没機構。
【請求項４】
請求項１に於いて、複数個のデッドボルト３Ａ、３Ｂは、一個は引戸１の開放側端部に位置する引戸半開用デッドボルト３Ａであり、他の一個はこの半開用デッドボルト３Ａに対して所要間隔を有して位置する全閉用デッドボルト３Ｂであることを特徴とする引戸用電気錠のデッドボルトの出没機構。
【請求項５】
請求項１に於いて、施解錠機構Ｘは、駆動源３０の作動杆３１の伸縮動により回動するように錠ケース７に軸支された回動ロック部材３５と、この回動ロック部材３５にロックされるように錠ケース７に回転及び上下動可能に軸支され、かつ、ラッチ用復帰バネ７９で常時突出方向に付勢されたラッチ５０と、このラッチと一緒に移動することができるように軸支され、かつ、全閉用デッドボルト３Ｂが引戸を開く初期の段階で開放方向Ａに移動すると、従動体用復帰バネ７８のバネのバネ力により所定量回転してそのまま所定位置で停止する従動体７０とから成ることを特徴とする引戸用電気錠のデッドボルトの出没機構。
【発明の詳細な説明】
【０００１】
【発明の属する技術分野】
本発明は引戸用電気錠のデッドボルトの出没機構に関し、特に特別養護老人ホームや病院などの引戸用電気錠のデッドボルトの出没機構に関する。
【０００２】
【従来の技術】
特別養護老人ホームや病院では、天気の良い日などには、「風を入れたい」という理由で引戸を多少開くような場合がある。このような場合、管理上の観点から、引戸の全閉時はもちろん、所望の通風空間を設定した半開状態（ここでは一般に人の通過が不可能な空間状態：例えば１２ｃｍを意味する。）に於いても確実に引戸を電気錠で施錠状態にする必要がある。
【０００３】
しかしながら、引戸の全閉時又は半開時を問わず、引戸が電気的に施錠状態になっている場合であっても、所望する時には、キー操作などにより、機械的に引戸用電気錠のデッドボルトをケース内に後退させ、引戸を自由に開放したい。
【０００４】
【発明が解決しようとする課題】
本発明は以上のような従来の要望点に鑑み、第１の目的は引戸の全閉時施錠又は半開時施錠を問わず、所望する時にはキー操作などにより、機械的に引戸用電気錠のデッドボルトを支持箱内に後退させ、自由に引戸を開放することができることである。また第２の目的は複数個のデッドボルト３Ａ、３Ｂを支持箱内に同期的に後退させることができ、この場合デッドボルト出没用同期機構Ｙを支持箱に内蔵しても、支持箱のコンパクト化を図ることができることである。また第３の目的は、容易に同期機構Ｙの駆動用ピニオン部材を回転させることができることである。第４の目的は引戸の全閉時及び通風空間の設定が可能な半開時にラッチを施錠する引戸用電気錠に合理的に適合することである。
【０００５】
【課題を解決するための手段】
本発明の引戸用電気錠のデッドボルトの出没機構は、引戸１側の支持箱４に取付けられた複数個のデッドボルト３Ａ、３Ｂと、前記支持箱４に内装されたデッドボルト出没用同期機構Ｙと、一方、戸枠側の錠ケース７に内蔵され、かつ、前記デッドボルト３Ａ、３Ｂに対してそれぞれ係脱するラッチ５０及びこのラッチを駆動源３０の駆動力に基づき係止する回動ロック部材３５を備える施解錠機構Ｘとから成る引戸用電気錠のデッドボルトの出没機構であり、前記デッドボルト出没用同期機構Ｙは、支持箱４の中央部に回動可能に設けられた駆動用ピニオン部材９０と、この駆動用ピニオン部材９０の左右にそれぞれ回動可能に配設された同期用ピニオン部材９１Ａ、９１Ｂと、これらの同期用ピニオン部材９１Ａ、９１Ｂ並びに前記駆動用ピニオン部材９０と噛合するように左右動可能に配設されたラック９２とから構成されていることを特徴とする。
【０００６】
また上記構成に於いて、ラック９２は、略クランク状に形成されていることを特徴とする。
【０００７】
【発明の実施の形態】
以下、図面に示す本発明の実施の形態を、引戸１の上端部或いは上框２に設けられた支持箱４に取付けられた複数個のデッドボルト３Ａ、３Ｂと、前記支持箱４に内装されたデッドボルト出没用同期機構Ｙと、デッドボルト３Ａ、３Ｂに対してそれぞれ係脱〜係合するラッチ５０を有する電気錠の施解錠機構Ｘを内蔵し、かつ、望ましくは戸枠の上枠５内に設けられた錠ケース７との関係で説明する。
【０００８】
まず複数個のデッドボルト３Ａ、３Ｂについて説明する。デッドボルト３Ａ、３Ｂは、図１乃至図３で示すように引戸１のデッドボルト用支持箱４に所要間隔を有して固定されている。ここで「所要間隔」とは、通風空間用の半開状態を形成するためのあいだを意味する。なお、デッドボルト３Ａ、３Ｂの幅は同一であるが、同一の直線ライン上には位置していない（互い違い）。
【０００９】
デッドボルト３Ａ、３Ｂは、各々同一形態であり、横方向に横設された長箱状の支持箱４に対称的に配設され、かつ、デッドボルト出没用同期機構Ｙを介し、支持箱４に出没可能に設けられている。そこで、図３又は図４を基準に一方のデッドボルト３Ａの形態について説明する。他方のデッドボルト３Ｂの形態についてはデッドボルト３Ａと同一の符号を付し、重複する説明を省略する。
【００１０】
しかして、３ａはデッドボルト３Ａの下端部の中央部に形成された垂直長孔で、この垂直長孔３ａには支持箱４に横架されたガイドピン６が貫通している。３ｂはデッドボルト３Ａの下端部の左側壁に突出形成され、かつ、支持箱４の内側壁４ａと摺接する垂直板状ガイド部である。３ｃはデッドボルト３Ａの右側壁に突出形成され第１係合部である。３ｄは第１係合部３ｃに対向するようにデッドボルト３Ａの右側壁に突出形成された第２係合部である。そして、デッドボルト３Ａの第２係合部３ｄと前記第１係合部３ｃとの間は、適当な逃がし用切欠部３ｅと成っている。
【００１１】
ところで、本実施例では支持箱４の所定位置に合計２個のデッドボルト３Ａ、３Ｂがそれぞれ設けられているが、引戸の開放側端部に位置するデッドボルト３Ａは、引戸１を半開状態にした時に施解錠機構Ｘのラッチ５０に係止ロックされる係合片であり、一方、引戸の開放側端部寄りの部位に位置するデッドボルト３Ｂは、引戸１を全閉状態にした時に前記ラッチ５０に係止ロックされる係合片である。
【００１２】
次にデッドボルト出没用同期機構Ｙについて説明する。この同期機構Ｙは、図３を基準にすると、支持箱４の中央部に回動可能に設けられた駆動用ピニオン部材９０と、この駆動用ピニオン部材９０の左右にそれぞれ回動可能に配設された同期用ピニオン部材９１Ａ、９１Ｂと、これらの同期用ピニオン部材９１Ａ、９１Ｂ並びに前記駆動用ピニオン部材９０と噛合するように左右動可能に配設された略クランク状のラック９２とから構成されている。
【００１３】
しかして、前記駆動用ピニオン部材９０は、シリンダー状の内筒体９３と、この内筒体９３の外周壁の適宜部位に突出形成された複数個の駆動爪部９３ａによって回動し、かつ、ラック９２の中央係合歯９２ａと噛合するピニオン外筒体９４と、前記内筒体９３内に固定的に取り付けられ、かつ、キーガイド９５ａ、摘み部などを有する中心駆動体９５から成る。なお、キー操作又はサムターンによって回動する中心駆動体９５は、普通一般のタンブラーシリンダー錠（ダルマ）であることが望ましいが、必ずしも鍵機構を有するタンブラーシリンダー錠である必要はない。
【００１４】
また前記同期用ピニオン部材９１Ａ、９１Ｂは、デッドボルト３Ａ、３Ｂが支持箱４に互い違いに設けられていることに対応し、支持箱４の左右に互い違いに、かつ、反対向きに軸支されている。
【００１５】
そこで、図４を基準に一方の同期用ピニオン部材９１Ａの形態について説明し、他方の同期用ピニオン部材９１Ｂの形態については説明の便宜上同期用ピニオン部材９１Ａと同一の符号を付し、重複する説明を省略する。
【００１６】
しかして、９６は同期用ピニオン部材９１Ａの中心軸孔で、この中心軸孔９６には支持箱４に横架された中心軸９７が貫通している。９８は同期用ピニオン部材９１Ａの外周壁の適宜部位に形成されたこぶ状突起部で、このこぶ状突起部９８の一側壁面には、デッドボルト３Ａの第１係合部３ｃ及び第２係合部３ｄに選択的に係合する係合ピン９９が突設されている。１００は外周壁に形成されたピニオンで、このピニオン１００はラックの端部に形成された係合歯９２ｂと噛合する。１０１はデッドボルト用付勢バネ１０２を取り付けるための取付けピンで、この取付けピン１０１は係合ピン９９に対して反対側の側面に位置している。デッドボルト用付勢バネ１０２は、デッドボルト３Ａを支持箱４の突出方向並びに後退方向に付勢する。なお、１０３は前記付勢バネ１０２の一端部を取付けるために支持箱４に設けられた固定ピンである。また同期用ピニオン部材９１Ａの外周壁部は一部カットされている。
【００１７】
次に錠ケース７について説明する。錠ケース７は長箱状に形成され、上述したように戸枠の上枠５内に横設されている。ここで図１又は図５を基準にすると、７ａは前壁、７ｂは後壁、７ｃは左側壁、７ｄは右側壁、７ｅは上壁、７ｆは底壁である。図１又は図５で示すように前壁７ａ及び後壁７ｂには、それぞれ対向する複数個の案内部としての垂直ガイド長孔１１、１２や軸孔１３、１４、１５が適宜に形成されている。
【００１８】
しかして、１１は錠ケース７の右側壁７ｄ寄りの部位に形成された弧状部を有する第１垂直ガイド長孔で、この第１垂直ガイド長孔１１にはラッチ５０を案内するガイド部材としての横軸１６が横架されている。
【００１９】
また１２は第１垂直ガイド長孔１１に対して形成され、かつ、錠ケース７の略中央部に位置する第２垂直ガイト長孔で、この第２垂直ガイド長孔１２には横軸１６と相俟ってラッチ５０を上下方向に案内するラッチ突起軸６０が係合する。
【００２０】
また１３は錠ケース７の中央部寄りの部位に形成された第１軸孔で、この第１軸孔１３には後述する回動ロック部材を枢支する軸（突起軸又は横軸）１７が取付けられる。また１４は錠ケース７の略中央部に位置する第２軸孔で、この第２軸孔１４にはトリガーバネ用軸１８が取付けられる。また１５は錠ケース７の右端部に位置する第３軸孔で、この第３軸孔１５にはラッチバネ用軸１９が取付けられる。
【００２１】
さらに、錠ケース７の底壁７ｆには、錠ケース７の一部を形成する長板状の取付け板２０が固定的に設けられ、この取付け板２０には固着具２１を介してフロント板２２が一体的に取付けられている。そして、各板２０、２２の右端部よりの部位には、ラッチ用貫通孔２３が形成されている。
【００２２】
次に施解錠機構Ｘを構成する各部材について説明する。この施解錠機構Ｘは、本発明の主要部として回転及び上下方向に移動可能な駆動体（ラッチ）５０と、この駆動体と共に錠ケース７内に後退動する従動体（トリガ）７０と、この従動体の回転動を利用し、本実施例ではソレノイドに素早く通電させるための検出信号を拾う検出手段（スイッチ）８０などを有している。
【００２３】
そこで、まず３０は駆動源の一例としてのソレノイドである。このソレノイド３０は錠ケース７内に横設され、かつ、図示しない接続コードを介し、複数個のスイッチング回路を制御する制御装置に接続している。３１はソレノイド３０の作動杆で、この作動杆３１は水平方向に伸縮動するが、本実施例では通電時に伸張し、一方、非通電時には収縮する。しかして、図６で示すように作動杆３１の突出先端部にはやや大径の駆動部３２が設けられ、この駆動部３２の中央部には駆動ピン３３が作動杆と交差する水平方向に突出している。
【００２４】
次に３５は作動杆３１の伸縮動により回動するように錠ケース７に軸１７を介して軸支された回動ロック部材である。回動ロック部材３５は、前記駆動ピン３３を介し、通電時に作動杆３１が伸張するとラッチ５０の回転を阻止するロック方向に、一方、非通電時に作動杆３１が収縮するとラッチ５０の回転を許容するロック解除の方向にそれぞれ回転する。
【００２５】
この回動ロック部材３５は、図６を基準にすると、基本的には前後一対の対向軸受板３６と、これらの対向軸受板３６を作動杆３１の下方の位置で連結する垂直連結板３７とから成る。そして、前記対向軸受板３６の上端部は作動杆３１の駆動部３２と外嵌合するように上方に延び、かつ、駆動ピン３３と係合するＵ字状切欠部３８を有する。また対向軸受板３６の一方の左下端部には突起部３９が形成され、この突起部３９は底壁７ｆに設けられた施解錠信号検出手段（スイッチ）８１とプッシュ的に接触可能である。さらに、対向軸受板３６の下端部寄りの右側にはやや幅広のロックアーム部４１が突出し、このロックアーム部４１にはラッチの後退側垂直面と当接する水平ローラ４２が設けられている。なお、４３は軸１７に設けられた軸筒であり、また４４は回動ロック部材３５内に位置するように該軸筒４３に巻装された回動ロック部材用バネ４４である。回動ロック部材３５はこのバネ４４により常時ロック解除の方向（反時計方向）に付勢されている。
【００２６】
次にラッチ５０について説明する。本実施例に於いては、ラッチ５０は従動体（トリガ）７０との関係では支軸５９を介して従動体７０を錠ケース７内に持ち上げ（後退させ）たり、錠ケース７内から元の位置へと復帰（突出）させたりする。また引戸１の係合部材（デッドボルト）との関係ではストッパーとしの機能を発揮する。
【００２７】
そこで、このラッチ５０を図７に基づいて説明する。５１は錠ケース７から突出する垂直係止面である。この垂直係止面５１は引戸１を半開〜全開方向へ開くと、デッドボルト３Ｂ、３Ａの一側面に係脱〜係合する。
【００２８】
５２は垂直係止面５１の下端縁から後方へ連設するテーパー状摺接面である。このテーパー状摺接面５２は引戸１を全開〜半開位置から全閉位置へと閉じると、デッドボルト３Ａ、３Ｂの他側面に係脱する。
【００２９】
５３はテーパー状摺接面５２にやや弧状に連設すると共に、ラッチ用貫通孔２２に遊嵌合する後方連設部である。５４はこの後方連設部５３と錠ケース７内に常時位置する上壁５５にそれぞれ連設する突起部で、この突起部５４には固定軸筒５６を介して横軸１６が設けられている。
【００３０】
５７は全体としてピストル形状に形成された前後の側壁で、この前後の側壁５７には錠ケース７の第２垂直ガイド長孔１２と係合する一対の突起軸６０が形成されている。また本実施例では一方側壁５７の略中間部（突起軸６０と横軸１６とに間）に、従動体７０を枢支する支軸５９が突設されている。
【００３１】
６１は前記上壁５５の先端部に突起状に形成され、かつ、回動ロック部材３５の水平ローラ４２と当接する後退側垂直面６１ａを有する当接部である。
【００３２】
次に従動体７０について説明する。この従動体（トリガー）７０は、本発明を特定するための構成ではないが、便宜上説明する。この従動体７０は全閉用デッドボルト３Ｂが半開方向へ水平動するとラッチ５０と共に移動（本実施例ではやや回転しながら上下動）し、かつ、トリガーバネのバネ力により所定量回転したまま所定位置に保持され、一方、全閉用デッドボルト３Ｂが全閉方向へ水平動すると再びラッチ５０と共に移動し、かつ、トリガーバネのバネ力により元の位置に復帰する従動体７０について説明する。
【００３３】
図８及び図９で示すように、７１はラッチ５０の支軸５９が嵌挿する中心孔である。従動体７０はこの中心孔７１を介してラッチ５０に回動可能に装着されている。７２はこの中心孔７１から左下半径方向へ広がるように一部切欠された切欠部で、この切欠部７２はラッチ５０の垂直係止面５１と全閉用デッドボルト３Ｂとの係合関係を考慮し、本実施例では山形状に切欠されている。そこで、従動体７０を山形状切欠部７２との関係で親指〜人差し指の形態に例えると、７３はラッチ５０の前の側壁５７の一部に対向する親指部であり、一方、７４は引戸の半開時錠ケース７から突出する反面、引戸の全閉の際には全閉用デッドボルト３Ｂの上端面と一旦摺接する人差し指部である。
【００３４】
７５は、図８を基準にすると板状従動体７０の前壁面７０ａの上部に設けられた突出ピンで、一方、７６は板状従動体７０の後壁面７０ｂの上部に設けられた検出手段用突起部である。前記突出ピン７５は検出手段用突起部７６よりも右側に位置し、トリガーバネ７８と相俟って従動体７０を左右いずれかの方向に回転させる役割を果たす。また前記検出手段用突起部７６は、トリガー７０が一方向へ回転した際にラッチ５０の上壁５５と当接し、トリガー７０がフリーにならないように所定位置に保持する役割を果たす。
【００３５】
次に７８は軸１８に巻装され、かつ、一端部７８ａ側が従動体７０の突出ピン７５に圧接係合する従動体用付勢バネである。一方、７９は軸１９に巻装され、かつ、ラッチ５０の固定軸筒５６に圧接するラッチ用復帰バネである。
【００３６】
次に検出手段（スイッチ部材）８０について説明する。この検出手段８０は錠ケース７に内装され、従動体７０に対して設けられている。本実施例では引戸１が全閉状態の時、その可動接片８０ａが検出手段用突起部７６に押圧され、ソレノイド３０に対して通電スイッチＯＦＦであり、一方、全閉用デッドボルト３Ｂが半開方向へ水平動することにより従動体７０がラッチ５０と共に移動し、その可動接片８０ａが検出手段用突起部７６から離れるや否や、ソレノイド３０に対して通電スイッチＯＮと成る。なお、８１は前述したように施解錠機構Ｘの施解錠信号を検出するための検出手段である。
【００３７】
上記構成に於いて、まず図１０は半開用デッドボルト３Ａ及び全閉用デッドボルト３Ｂが支持箱４内に同期的に後退した場合の状態を示す。
【００３８】
すなわち、図示しないキー操作によりダルマ部材を介して駆動用ピニオン部材９０を時計方向に回転すると、ラック９２は矢印で示すように左側に水平移動する。そうすると、一方の同期用ピニオン部材９１Ａは付勢バネ１０２のバネ力に抗して反時計方向に回転し、これに対し、他方の同期用ピニオン部材９１Ｂは同じく付勢バネ１０２のバネ力に抗して時計方向に回転する。その結果、半開用デッドボルト３Ａ及び全閉用デッドボルト３Ｂは支持箱４内に同期的に後退する。
【００３９】
したがって、後述するように、ラッチ５０が半開用デッドボルト３Ａ又は全閉用デッドボルト３Ｂをロック状態に係止している場合に於いて、引戸１を自由に開くことができる。
【００４０】
次に図１１乃至図１５を参照に施解錠機構Ｘの作用について説明する。前述したように本実施例では引戸１の全閉状態に於いて、ソレノイド３０が通電状態のの場合（引戸全閉時施錠）、ソレノイド３０の作動杆３１は伸張し、回動ロック部材３５の水平ローラ４２はラッチ５０の後退側垂直面６１ａに当接している。そのためラッチ５０は反時計方向に回転することができず、全閉用デッドボルト３Ｂはラッチ５０に阻止されている。
【００４１】
そこで、ソレノイド３０が非通電状態に成ると（引戸全閉時解錠）、ソレノイド３０の作動杆３１は収縮し、回動ロック部材３５は反時計方向に回転する。これにより回動ロック部材３５の水平ローラ４２はラッチ５０の後退側垂直面６１ａから離れる。また施解錠信号用検出手段８１は、図示しない施解錠制御回路の解錠信号（引戸開放可能の信号）を検出する。
【００４２】
次に図１１で示すように引戸１を開放方向Ａへと開くと、ラッチ５０は全閉用デッドボルト３Ｂの移動により、ラッチ用復帰バネ７９のバネ力に抗して突起軸６０を支点に反時計方向へ回転する。そうすると、従動体７０はラッチ５０に支軸５９を介して一体的に連結されているので、ラッチ５０の軌跡に基づいて錠ケース７内に回転後退する。この場合従動体７０の突出ピン７５は付勢バネ７８の一端部７８ａをそのバネ力に抗して押し上げ、従動体７０の中心孔７１よりも左側へと移行しようとする。この突出ピン７５の移行時に従動体７０の突起部７６も検出手段８０の可動接片８０ａから離れようとする。
【００４３】
そこで、引戸１を開放方向Ａへとさらに開き、全閉用デッドボルト３Ｂがラッチ５０の下方を通過中にソレノイド３０が通電状態になる。引戸１を開放方向Ａへとさらに開くと、前述したように突出ピン７５はトリガーバネ７８のバネ力に抗して従動体７０の中心孔７１よりも左側へと移行し、従動体７０の突起部７６は検出手段８０の可動接片８０ａから離れる。しかして、検出手段８０は前記突起部７６が可動接片８０ａから離れるや否や「スイッチＯＮ」となることから、ソレノイド３０が通電状態になる。
【００４４】
次に図１２は、図１１に於いて、引戸１を開放方向Ａへさらに開き、全閉用デッドボルト３Ｂがラッチ５０の下方を通過した場合を示す。この場合ラッチ５０はラッチ用復帰バネ７９のバネ力により回転して直ぐ元の位置に復帰する。この時従動体７０は突出ピン７５の位置が左側に移行しているため、付勢バネ７８のバネ力により支軸５９を支点に反時計方向へ回転し、そのまま付勢バネ７８により押さえ付けられ、かつ、突起部７６がラッチ５０の上壁５５と当接するため、所定位置に回転停止する。したがって、検出手段８０は「スイッチＯＮ」のままである。回動ロック部材３５は作動杆３１の伸張により、バネ４４のバネ力に抗して時計方向に回転し、ラッチ５０の回転を確実に阻止している。
【００４５】
しかして、図１３は、引戸１を半開状態にし、半開用デッドボルト３Ａがラッチ５０に係止ロックされた場合の説明図（引戸半開時施錠）である。この場合半開用デッドボルト３Ａは、全閉用デッドボルト３Ｂに対して互い違いに位置しているので、従動体７０の人差し指部７４が錠ケース７から突出していても邪魔にならない。
【００４６】
次に図１４は、引戸１を半開状態から全閉方向Ｂへ移動させ、全閉用デッドボルト３Ｂによりラッチ５０が錠ケース７内へと後退した場合の説明図である。この場合全閉用デッドボルト３Ｂがラッチ５０のテーパー状摺接面５２に摺接すると、ラッチ５０はラッチ用復帰バネ７９のバネ力に抗し、かつ、横軸１６、突起軸６０を介し、第１垂直ガイド長孔１１及び第２垂直長孔１２に案内されながら錠ケース７内へと水平後退する。したがって、従動体７０もラッチ５０と共に錠ケース７内へと水平後退する。
【００４７】
しかして、図１５で示すように全閉用デッドボルト３Ｂがラッチ５０及び従動体７０の下方を通過する際、従動体７０はその人差し指部７４が全閉用デッドボルト３Ｂの上端面と摺接する一方、その後ラッチ５０が錠ケース７から突出するのに追従し、かつ、トリガーバネ７８のバネ力により支軸５９を支点に時計方向に回転する。その結果、従動体の突出ピン７５は元の位置へと戻ると共に、その突起部７６が検出手段８０の可動接片８０ａを押圧し、検出手段８０は「スイッチＯＦＦ」と成る。したがって、ソレノイド３０は一旦非通電状態になるが、この時図示しない並列回路を有する施解錠制御装置は、検出手段８０の「スイッチＯＦＦ」の信号に基づき、ソレノイド３０を通電状態にする。そして、前述した図８で示すように全閉状態になると、ラッチ５０はラッチ用復帰バネ７９のバネ力により錠ケース７から突出し、全閉用デッドボルト３Ｂを係止する。
【００４８】
【実施例】
まず本発明の実施例に於いては、ラック９２は、支持箱４のコンパクト化を図るために側端面が略クランク状に形成されているが、例えば左右の同期用ピニオン部材９１Ａ、９１Ｂの外周壁を普通一般の円形に形成した場合は、ラック９２を単なる長板状に形成しても良い。また同期用ピニオン部材９１Ａ、９１Ｂには、駆動用ピニオン部材９０の回転の容易化を図るために、デッドボルト３Ａ、３Ｂをそれらの移動中に支持箱４の突出方向並びに後退方向にそれぞれ付勢するデッドボルト用付勢バネ１０２が合計２個設けられているが、付勢バネ１０２は本発明の構成を特定するための要件ではなく、また同期用ピニオン部材９１Ａ、９１Ｂのいずれか一方に装着しても良い。
【００４９】
さらに、駆動用ピニオン部材９０を構成する各部品９３、９４、９５に関し、シリンダー状の内筒体９３を錠ケース７に固定的に設け、一方、中心駆動体９５キーを用いて回動すると、該中心駆動体９５と一緒にピニオン外筒体９４が所定量回動するように構成しても良い。
【００５０】
【発明の効果】
以上の説明から明らかなように、本発明にあっては次に列挙するような効果がある。
（１）引戸の全閉時施錠又は半開時施錠を問わず、所望する時にはキー操作などにより、機械的に引戸用電気錠のデッドボルトを支持箱内に後退させ、自由に引戸を開放することができる。
（２）複数個のデッドボルト３Ａ、３Ｂを支持箱内に同期的に後退させることができ、この場合デッドボルト出没用同期機構Ｙを支持箱に内蔵しても、支持箱のコンパクト化を図ることができる。
（３）デッドボルトを元の位置へと突出させる場合、容易に同期機構Ｙの駆動用ピニオン部材を回転させることができる。
（４）引戸の全閉時及び通風空間の設定が可能な半開時にラッチを施錠する引戸用電気錠に合理的に適合する。
【図面の簡単な説明】
図１乃至図１５は本発明の実施の形態を説明するための第１実施例に基づく各説明図。
【図１】引戸の全閉状態に於いて、正面から見た場合の概略説明図。
【図２】支持箱側の部材（主にデッドボルト）を示す斜視からの説明図。
【図３】支持箱側のデッドボルトと同期機構との関係を示す説明図
【図４】本発明の主要部の分解斜視図。
【図５】施解錠機構を構成する各部材の説明図。
【図６】駆動源、回動ロック部材等を示す斜視からの説明図。
【図７】駆動体（ラッチ）と従動体（トリガー）との関係を示す斜視からの説明図。
【図８】従動体を示す斜視図。
【図９】従動体と他の部材との関係を示す概略説明図。
【図１０】デッドボルトが支持箱に後退した状態の説明図。
【図１１】引戸を開放方向Ａへと開いた初期時の場合に於いて、駆動体と従動体の動きを示す説明図（引戸の半開状態への初期の移行時）。
【図１２】図１１に於いて、引戸を開放方向へさらに開き、全閉用デッドボルトがラッチの下方を通過した場合を示す説明図。
【図１３】図１２に於いて、引戸を半開状態にし、半開用デッドボルトがラッチに係止ロックされた場合の説明図（引戸半開時施錠）。
【図１４】引戸を半開状態から全閉方向Ｂへ移動させ、全閉用デッドボルトによりラッチが錠ケース内へと後退した場合の説明図。
【図１５】図１４に於いて、従動体が元の位置へ戻る場合の説明図。
【符号の説明】
１…引戸、２…上框、３Ａ…半開用デッドボルト、３Ｂ…全閉用デッドボルト、４…支持箱、５…上枠、６…ガイドピン、７…錠ケース、１１、１２…垂直ガイド長孔、１３、１４、１５…軸孔、１６…横軸、１７、１８、１９…軸、５９…支軸、６０…突起軸、２０…取付け板、２１…固着具、２２…フロント板、Ｙ…同期機構、Ｘ…施解錠機構、３０…駆動源、３１…作動杆、３３…駆動ピン、３５…回動ロック部材、３６…対向軸受板、３７…垂直連結板、３８…切欠部、３９…突起部、４１…ロックアーム部、４２…水平ローラ、４３…軸筒、５０、５０Ａ…ラッチ、５１…垂直係止面、５２…摺接面、５４…突起部、５５…上壁、５６…固定軸筒、５７…前後の側壁、６１…当接部、７０、７０Ａ…従動体、７１…中心孔、７２…切欠部、７３…親指部、７４…人差し指部、７５…突出ピン、７８…付勢バネ、７９…復帰バネ、８０…検出手段、８１…施解錠信号検出手段、９０…駆動用ピニオン部材、９１Ａ、９１Ｂ…同期用ピニオン部材、９２…ラック、９７…中心軸、９９…係合ピン、１０２…付勢バネ、Ａ…開放方向、Ｂ…全閉方向。
【図１】
0003845481.tif 000002
【図２】
0003845481.tif 000003
【図３】
0003845481.tif 000004
【図４】
0003845481.tif 000005
【図５】
0003845481.tif 000006
【図６】
0003845481.tif 000007
【図７】
0003845481.tif 000008
【図８】
0003845481.tif 000009
【図９】
0003845481.tif 000010
【図１０】
0003845481.tif 000011
【図１１】
0003845481.tif 000012
【図１２】
0003845481.tif 000013
【図１３】
0003845481.tif 000014
【図１４】
0003845481.tif 000015
【図１５】
0003845481.tif 000016